(57)【要約】【課題】磁性体層の厚みを薄くでき、伝送線路の長さを十分長くとることが可能な積層構造により、良好な減衰特性のノイズフィルタを得ること【解決手段】磁性体層が積層されたセラミック素体と、複数の前記磁性体層上に形成された接地導体と信号線路よりなる伝送線路と、前記接地導体と電気的に接続するように前記セラミック素体の外表面に形成された接地用外部電極と、前記信号線路と電気的に接続するように前記セラミック素体の外表面に形成された信号用外部電極を備えたノイズフィルタにおいて、前記伝送線路を構成する接地導体と信号線路が、前記磁性体層の各々において同一面上に形成されることを特徴とする。【選択図】        図１
2004222220.tif 000002
【特許請求の範囲】
【請求項１】
磁性体層が積層されたセラミック素体と、複数の前記磁性体層上に形成された接地導体と信号線路よりなる伝送線路と、前記接地導体と電気的に接続するように前記セラミック素体の外表面に形成された接地用外部電極と、前記信号線路と電気的に接続するように前記セラミック素体の外表面に形成された信号用外部電極を備え、前記伝送線路を構成する接地導体と信号線路が、前記磁性体層の各々において同一面上に形成されることを特徴とするノイズフィルタ。
【請求項２】
前記磁性体層の同一面上において前記信号線路が前記接地導体の外周部に形成され、前記信号線路が前記磁性体層に形成された信号線路用スルーホールにより電気的に接続されコイルを形成し、前記接地導体が前記磁性体層に形成された接地導体用スルーホールにより電気的に接続されることを特徴とする、請求項１に記載のノイズフィルタ。
【請求項３】
接地導体のみが形成された２つの磁性体層が、前記接地導体と前記信号線路が同一面上に形成された複数の前記磁性体層群をはさむように積層されることを特徴とする、請求項２に記載のノイズフィルタ。
【請求項４】
前記接地導体のみが形成された磁性体層上の前記接地導体が、前記接地用外部電極を兼ねることを特徴とする、請求項３に記載のノイズフィルタ。
【請求項５】
前記磁性体層の同一面上において、前記信号線路は直線形状を有し、前記接地導体は前記信号線路の周辺部に形成されるとともに前記接地用外部電極に電気的に接続され、前記信号線路が前記磁性体層に形成された信号線路用スルーホールにより電気的に接続され一連の信号線路を形成することを特徴とする、請求項１に記載のノイズフィルタ。
【請求項６】
前記磁性体層の同一面上において、前記信号線路はミアンダ状であり、前記接地導体は前記信号線路の周辺部に形成されるとともに前記接地用外部電極に電気的に接続され、前記信号線路が前記磁性体層に形成された信号線路用スルーホールにより電気的に接続され一連の信号線路を形成することを特徴とする、請求項１に記載のノイズフィルタ。
【請求項７】
前記磁性体層の同一面上において前記接地導体が前記信号線路の外周部に形成され、前記信号線路が前記磁性体層に形成された信号線路用スルーホールにより電気的に接続されコイルを形成し、前記接地導体が前記接地用外部電極に電気的に接続されることを特徴とする、請求項１に記載のノイズフィルタ。
【請求項８】
前記接地用外部電極及び信号用外部電極が、前記磁性体層の積層方向に平行なセラミック素体面に形成されることを特徴とする、請求項７に記載のノイズフィルタ。
【発明の詳細な説明】
【０００１】
【発明の属する技術分野】
本発明は、ノイズ抑制のためにデジタル回路の信号線路や電源等に用いられるノイズフィルタに関する。例えば、伝送線路型のノイズフィルタ、あるいは伝送線路フィルタと積層インダクタを複合したノイズフィルタに関する。
【０００２】
【従来の技術】
電子機器の電磁雑音障害を抑制するため、各種のノイズフィルタが用いられている。ノイズフィルタとしては、例えば特開平１１−２５１８５７号公報に記載されるような、分布定数型ＬＣフィルタが知られている。このノイズフィルタは、信号線路及び接地導体を、積層方向にそれぞれ誘電体層を介して交互に配置すると共に、前記各層の信号線路と同層に、それぞれ前記接地導体とは別の接地導体を設け、前記各層の信号線路は互いに接続してその両端を基体の外面の入力端子、出力端子に接続し、前記接地導体は互いに接続して接地導体の一端のみを基体外面の接地端子に接続したことを特徴とするものである。このような構成とすることで、フィルタ特性を細かく変化させて容易に所望の特性を得ることができるとともに、ノイズの信号ラインへの侵入を防止することができる。
【０００３】
上述の分布定数型ＬＣフィルタは、信号線路と接地導体間に介在する絶縁体として誘電体を用いるものである。この他に、信号線路と接地導体及びこれらに近接する磁性体媒質よりなる伝送線路を備えたノイズフィルタ（伝送線路型フィルタ）がある。このタイプのノイズフィルタは、特に高周波において優れたノイズ除去特性を示すことが知られ、実用化が進められている。
【０００４】
【特許文献１】
特開平１１−２５１８５７号公報
【０００５】
【発明が解決しようとする課題】
上述の伝送線路型フィルタは、伝送線路が長くなるほど減衰率が増大するという特性を有するため、伝送線路が十分な長さを有する必要がある。したがって、信号線路と接地導体を形成した磁性体層を複数層積層し、伝送線路の長さを確保することが好ましい。しかしながら、フェライト等の磁性体は電圧が印加されると絶縁抵抗が劣化するという特性を有する。このため、特開平１１−２５２８５７号公報で示されるように、信号線路と接地導体が絶縁体シートをはさんで配置される箇所を有する積層構造において、絶縁体シートとして磁性体を用いる場合、絶縁距離を得るために信号線路と接地導体間のシート厚みを十分厚くする必要があった。このため、ノイズフィルタとしてのサイズ制約のもとで十分な積層数をとれず、伝送線路の長さを十分長くとることができなかった。
【０００６】
本発明は、磁性体層の厚みを薄くでき、伝送線路の長さを十分長くとることが可能な積層構造により、良好な減衰特性のノイズフィルタを得ることを課題とする。
【０００７】
【課題を解決するための手段】
上述の課題を達成するため、本発明のノイズフィルタは、磁性体層が積層されたセラミック素体と、複数の前記磁性体層上に形成された接地導体と信号線路よりなる伝送線路と、前記接地導体と電気的に接続するように前記セラミック素体の外表面に形成された接地用外部電極と、前記信号線路と電気的に接続するように前記セラミック素体の外表面に形成された信号用外部電極を備え、前記伝送線路を構成する接地導体と信号線路が、前記磁性体層の各々において同一面上に形成されることを特徴とする。
【０００８】
また、前記磁性体層の同一面上において信号線路が接地導体の外周部に形成され、前記信号線路が前記磁性体層に形成された信号線路用スルーホールにより電気的に接続されコイルを形成し、前記接地導体が前記磁性体層に形成された接地導体用スルーホールにより電気的に接続されることを特徴とする。
【０００９】
このように伝送線路を構成する接地導体と信号線路が磁性体層の同一面上に形成されることにより、接地導体と信号線路間の絶縁距離を確保するように伝送線路を設計することが容易となる。また、多数の前記磁性体層を積層できるため、十分な信号線路長を得ることができる。
【００１０】
また、前記ノイズフィルタにおいて、接地導体のみが形成された２つの磁性体層が、前記接地導体と前記信号線路が同一面上に形成された複数の前記磁性体層群をはさむように積層されることを特徴とする。
【００１１】
このような構成にすることで、コイルのインダクタンスをその外側に配置された接地導体で低減し、ノイズフィルタと回路間の特性インピーダンスの乱れにより波形歪みが発生するのを防ぐことができる。
【００１２】
また、前記ノイズフィルタにおいて、前記接地導体のみが形成された磁性体層上の前記接地導体が、前記接地用外部電極を兼ねることを特徴とする。
【００１３】
このような構成にすることで、接地用外部電極と信号線路の絶縁距離をとる必要がなくなり、より信号線路を長くすることが可能になる。
【００１４】
また、本発明のノイズフィルタは、前記磁性体層の同一面上において、前記信号線路は直線形状あるいはミアンダ状を有し、前記接地導体は前記信号線路の周辺部に形成されるとともに前記接地用外部電極に電気的に接続され、前記信号線路が前記磁性体層に形成された信号線路用スルーホールにより電気的に接続され一連の信号線路を形成することを特徴とする。
【００１５】
このような構成にすることで、多数の前記磁性体層を積層できるため、十分な信号線路長を得ることができる。また、漏れインダクタンスが低減され、ノイズフィルタと回路間の特性インピーダンスの乱れにより波形歪みが発生するのを防ぐことができる。
【００１６】
また、本発明のノイズフィルタは、前記磁性体層の同一面上において前記接地導体が前記信号線路の外周部に形成され、前記信号線路が前記磁性体層に形成された信号線路用スルーホールにより電気的に接続されコイルを形成し、前記接地導体が前記接地用外部電極に電気的に接続されることを特徴とする。
【００１７】
このような構成にすることで、接地導体と信号線路により伝送線路が形成されるのに加え、コイル形状の信号線路がインダクタとして作用するため、複合型フィルタとして作用する。
【００１８】
また、前記ノイズフィルタにおいて、前記接地用外部電極及び信号用外部電極が、前記磁性体層の積層方向に平行なセラミック素体面に形成されることを特徴とする。
【００１９】
このような構成にすることで、外部電極がシートの積層方向に垂直な面上に形成される場合に比べ、コイルのインダクタンス成分が高くなる。
【００２０】
【発明の実施形態】
以下、本発明の実施形態について図面に基づき説明する。
【００２１】
まず、本発明の第一の実施形態によるノイズフィルタについて説明する。図１は前記ノイズフィルタの分解斜視図である。また、図２は前記ノイズフィルタの外観斜視図である。
【００２２】
図２に示すように、ノイズフィルタ９はセラミック素体８と該セラミック素体８の表面に形成された接地用外部電極６ａ、６ｂ及び信号用外部電極７ａ、７ｂからなる。
【００２３】
図１に示すように、前記セラミック素体８は磁性体層１ａ〜１ｊが積層されてなる。
【００２４】
また、磁性体層１ｃ〜１ｈの同一面上には、接地導体２ｂ〜２ｇと、該接地導体２ｂ〜２ｇの外側を囲むように配置して信号線路３ａ〜３ｆがそれぞれ形成される。磁性体層の同一面上に形成される接地導体と信号線路は、両者に近接する磁性体媒質とともに、セラミック素体内部において伝送線路を形成する。また、磁性体層１ｂ上には接地導体２ａのみが形成され、磁性体層１ｉには接地導体２ｈのみが形成される。
【００２５】
また、磁性体層１ｂ〜１ｈ上にそれぞれ形成される接地導体２ａ〜２ｇの中央部には、接地導体用スルーホール４ａ〜４ｇがそれぞれ形成される。接地導体２ａ〜２ｈは、前記接地導体用スルーホール４ａ〜４ｇを介して互いに接続される。また、磁性体層１ｃ〜１ｇ上にそれぞれ形成される信号線路３ａ〜３ｅの片端部には、信号線路用スルーホール５ａ〜５ｅがそれぞれ形成される。信号線路３ａ〜３ｆは、前記信号線路用スルーホール５ａ〜５ｅを介して互いに接続され、セラミック素体８の内部でコイルを形成する。
【００２６】
接地導体２ａ、２ｈは図１に示すようにセラミック素体８の外表面に引き出され、図２に示す接地用外部電極６ａ及び６ｂにそれぞれ接続される。また、信号線路３ａの他層と接続しない端部はセラミック素体８の外表面に引き出され、図２に示す信号用外部電極７ａに接続される。また、信号線路３ｆの他層と接続しない端部もセラミック素体８の外表面に引き出され、図２に示す信号用外部電極７ａに接続される。
【００２７】
次に、第一の実施形態によるノイズフィルタ９の製造方法について説明する。
【００２８】
まず、磁性セラミック粉末とバインダー等の有機成分よりなるセラミックグリーンシートが、ドクターブレード等の方法により作製される。前記磁性セラミック粉末としては、例えばフェライト等が用いられる。
【００２９】
次に、前記セラミックグリーンシートの表面に所定の形状に導体ペーストがスクリーン印刷され、接地導体、信号線路あるいはその両方のパターンが形成される。前記導体ペーストの金属成分としては、Ａｇ、Ａｇ／Ｐｄ、Ｃｕ等が用いられる。
【００３０】
次に、前記導体パターンが形成された前記セラミックグリーンシートが、導体パターンの形成されていない前記セラミックグリーンシートとともに図２の分解斜視図のように積み層ねられ、圧着により成形体とされる。
【００３１】
前記成形体は所定の形状にカットされた後、焼成される。
【００３２】
得られた焼結体は、必要に応じバレル研磨等の処理がされた後、図１に示す位置に外部電極が形成される。前記外部電極は、例えばＡｇを金属成分とする導体ペーストの塗布により形成される。
【００３３】
さらに、必要に応じ、前記外部電極表面にメッキ被膜が形成される。こうして、ノイズフィルタ９が得られる。
【００３４】
上述の第一の実施形態によるノイズフィルタ９は、伝送線路を構成する信号線路と接地導体が磁性体層の同一面上に形成されているので、前記磁性体層上で信号線路と接地導体間の絶縁距離を得るための設計自由度が高く、伝送線路を設計しやすい。さらに、磁性体層の上下面に信号電極と接地導体がそれぞれ配置される場合のように、磁性体層の厚みに信号電圧がかかることがないため、磁性体層の厚みを薄くすることができる。したがって、ノイズフィルタの素子全体の厚みが一定のもとで磁性体層の積層数を増やすことができ、信号線路長を長くとることができる。このため、信号線路長の増大に伴い減衰量が増大するという伝送線路型フィルタの減衰特性を向上させる効果を有する。
【００３５】
また、上述のノイズフィルタ９において、信号線路はコイルを形成するため、低周波領域では漏れインダクタンスが発生する。このため、設計上はノイズフィルタと回路間で特性インピーダンスの整合がとれていたとしても、上述の漏れインダクタンスにより実際の特性インピーダンスが乱れ、接続部で反射が生じて波形を乱したり、回路の共振によりノイズが増えたりすることがある。この問題を解決するため、本実施形態においては、コイルの外側の磁性体層上に前記コイルを覆うように接地導体のみを設け、前記コイルによる磁束を遮蔽し漏れインダクタンスを低減している。
【００３６】
次に、本発明の第二の実施形態によるノイズフィルタについて説明する。図３は前記ノイズフィルタの分解斜視図である。また、図４は前記ノイズフィルタの外観斜視図である。
【００３７】
図４に示すように、ノイズフィルタ１９はセラミック素体１８と該セラミック素体の表面に形成された接地用外部電極１６ａ、１６ｂ及び信号用外部電極１７ａ、１７ｂからなる。
【００３８】
図３に示すように、前記セラミック素体１８は磁性体層１１ａ〜１１ｈが積層されてなる。
【００３９】
磁性体層１１ｂ〜１１ｇの同一面上には、接地導体１２ａ〜１２ｆと、該接地導体１１ｂ〜１１ｇの外側を囲むように配置して信号線路１３ａ〜１３ｆがそれぞれ形成される。磁性体層の同一面上に形成される接地導体と信号線路は、両者に近接する磁性体媒質とともに、セラミック素体内部において伝送線路を形成する。
【００４０】
また、磁性体層１１ａ及び磁性体層１１ｈ上には、接地用外部電極１６ａ及び１６ｂがそれぞれ形成されている。すなわち、前述した第一の実施形態においては、接地外部電極は磁性体層の積層方向に平行なセラミック素体面に形成されるのに対し、本実施形態において接地用外部電極は磁性体層の積層方向に垂直なセラミック素体面に形成される。なお、後述するように信号用外部電極は第一の実施形態、本実施形態ともに磁性体層の積層方向に平行なセラミック素体面に形成される。
【００４１】
磁性体層１１ｂ〜１１ｇ上にそれぞれ形成される接地導体１２ａ〜１２ｆの中央部には、接地導体用スルーホール１４ｂ〜１４ｇがそれぞれ形成される。また、磁性体層１１ａ、１１ｈ上にそれぞれ形成される接地外部電極１６ａ、１６ｂの中央部には、接地導体用スルーホール１４ａ、１４ｈがそれぞれ形成される。接地導体１２ａ〜２ｆ及び接地外部電極１６ａ、１６ｂは、前記接地導体用スルーホール１４ａ〜１４ｈを介して互いに接続される。また、磁性体層１１ｂ〜１１ｆ上にそれぞれ形成される信号線路１３ａ〜１３ｅの片端部には、信号線路用スルーホール１５ａ〜１５ｅがそれぞれ形成される。信号線路１３ａ〜１３ｆは、前記信号線路用スルーホール１５ａ〜１５ｅを介して互いに接続され、セラミック素体１８の内部でコイルを形成する。
【００４２】
信号線路１３ａの他層と接続しない端部はセラミック素体１８の外表面に引き出され、図４に示す信号用外部電極１７ａに接続される。また、信号線路１３ｆの他層と接続しない端部もセラミック素体１８の外表面に引き出され、信号電極１７ｂに接続される。
【００４３】
このような構成を有するノイズフィルタ１９は、第一の実施形態のノイズフィルタについて説明したのと同様の製造方法により製造される。
【００４４】
前記ノイズフィルタ１９は、第一の実施形態によるノイズフィルタと同様に、伝送線路を構成する信号線路と接地導体が磁性体層の同一面上に形成されているので、前記磁性体層上で信号線路と接地導体間の絶縁距離を得るための設計自由度が高く、伝送線路を設計しやすい。さらに、磁性体層の上下面に信号電極と接地導体がそれぞれ配置される場合のように、磁性体層の厚みに信号電圧がかかることがないため、磁性体層の厚みを薄くすることができる。したがって、ノイズフィルタの素子全体の厚みが一定のもとで磁性体層の積層数を増やすことができ、信号線路長を長くとることができる。このため、信号線路長の増大に伴い減衰量が増大するという伝送線路型フィルタの減衰特性を向上させる効果を有する。
【００４５】
また、第一の実施形態によるノイズフィルタと同様、信号線路が形成するコイルの外側の磁性体層上に前記コイルを覆うように接地導体のみを設け、前記コイルによる磁束を遮蔽し漏れインダクタンスを低減している。これにより、漏れインダクタンスによる特性インピーダンスの乱れを防いでいる。
【００４６】
さらに、前記コイルの外側に設けた前記接地導体が接地用の外部電極も兼ねた構成であることにより、磁性体層上で接地用外部電極と信号線路の絶縁距離をとる必要がないため、信号線路長を増やすことができ、減衰特性が向上する。また、このような構成により、工程の簡略化を図ることができ、製造コストが低減するという効果も有する。
【００４７】
次に、本発明の第三の実施形態によるノイズフィルタについて説明する。図５は前記ノイズフィルタの分解斜視図である。また、図６は前記ノイズフィルタの外観斜視図である。
【００４８】
図６に示すように、ノイズフィルタ２９はセラミック素体２８と該セラミック素体の表面に形成された接地用外部電極２６ａ、２６ｂ及び信号用外部電極２７ａ、２７ｂからなる。
【００４９】
図５に示すように、前記セラミック素体２８は磁性体層２１ａ〜２１ｇが積層されてなる。
【００５０】
磁性体層２１ｂ〜２１ｆの同一面上には、一定の幅を有する直線形状の信号線路２３ａ〜２３ｅと、該信号線路２３ａ〜２３ｅの両側周辺部に配置して接地導体２２ａ〜２２ｊがそれぞれ形成される。磁性体層の同一面上に形成される信号線路と接地導体は、両者に近接する磁性体媒質とともに、セラミック素体内部において伝送線路を形成する。
【００５１】
また、磁性体層２１ｂ〜２１ｅ上にそれぞれ形成される直線状の前記信号線路２３ａ〜２３ｄの片端部には、信号線路用スルーホール２５ａ〜２５ｄがそれぞれ形成される。前記信号線路２３ａ〜２３ｅは、前記信号線路用スルーホール２５ａ〜２５ｄを介し互いに接続され、セラミック素体２８の内部で一連の信号線路を形成する。
【００５２】
接地導体２２ａ〜２２ｊは図５に示すようにセラミック素体２８の外表面に引き出され、図６に示す接地用外部電極２６ａ及び２６ｂに接続される。また、信号線路２３ａの片端部はセラミック素体２８の外表面に引き出され、信号用外部電極２７ａに接続される。また、信号線路２３ｅの片端部もセラミック素体２８の外表面に引き出され、信号用外部電極２７ｂに接続される。接地用外部電極２６ａ、２６ｂ及び信号用外部電極２７ａ、２７ｂのいずれも、磁性体層の積層方向と平行なセラミック素体面に形成される。
【００５３】
このような構成を有するノイズフィルタ２９は、第一の実施形態のノイズフィルタについて説明したのと同様の製造方法により製造される。
【００５４】
前記ノイズフィルタ２９は、第一の実施形態によるノイズフィルタと同様に、伝送線路を構成する信号線路と接地導体が磁性体層の同一面上に形成されているので、前記磁性体層上で信号線路と接地導体間の絶縁距離を得るための設計自由度が高く、伝送線路を設計しやすい。さらに、磁性体層の上下面に信号電極と接地導体がそれぞれ配置される場合のように、磁性体層の厚みに信号電圧がかかることがないため、磁性体層の厚みを薄くすることができる。したがって、ノイズフィルタの素子全体の厚みが一定のもとで磁性体層の積層数を増やすことができ、信号線路長を長くとることができる。このため、信号線路長の増大に伴い減衰量が増大するという伝送線路型フィルタの減衰特性を向上させる効果を有する。
【００５５】
次に、本発明の第四の実施形態によるノイズフィルタについて説明する。図７は前記ノイズフィルタの分解斜視図である。また、図８は前記ノイズフィルタの外観斜視図である。
【００５６】
図８に示すように、ノイズフィルタ３９はセラミック素体３８と該セラミック素体の表面に形成された接地用外部電極３６ａ、３６ｂ及び信号用外部電極３７ａ、３７ｂからなる。
【００５７】
図７に示すように、前記セラミック素体３８は磁性体層３１ａ〜３１ｇが積層されてなる。
【００５８】
磁性体層３１ｂ〜３１ｆの同一面上には、ミアンダ状の信号線路３３ａ〜３３ｅと、該信号線路３３ａ〜３３ｅの両側周辺部に配置して接地導体３２ａ〜３２ｊがそれぞれ形成される。磁性体層の同一面上に形成される信号線路と接地導体は、両者に近接する磁性体媒質とともに、セラミック素体内部において伝送線路を形成する。
【００５９】
また、磁性体層３１ｂ〜３１ｅ上にそれぞれ形成されるミアンダ状の前記信号線路３３ａ〜３３ｄの片端部には、信号線路用スルーホール３５ａ〜３５ｄがそれぞれ形成される。前記信号線路３３ａ〜３３ｅは、前記信号線路用スルーホール３５ａ〜３５ｄを介し互いに接続され、セラミック素体３８の内部で一連の信号線路を形成する。
【００６０】
接地導体３２ａ〜３２ｊは図７に示すようにセラミック素体３８の外表面に引き出され、図８に示す接地用外部電極３６ａ及び３６ｂに接続される。また、信号線路３３ａの片端部はセラミック素体３８の外表面に引き出され、信号用外部電極３７ａに接続される。また、信号線路３３ｅの片端部もセラミック素体３８の外表面に引き出され、信号用外部電極３７ｂに接続される。接地用外部電極３６ａ、３６ｂ及び信号用外部電極３７ａ、３７ｂのいずれも、磁性体層の積層方向と平行なセラミック素体面に形成される。
【００６１】
このような構成を有するノイズフィルタ３９は、第一の実施形態のノイズフィルタについて説明したのと同様の製造方法により製造される。
【００６２】
前記ノイズフィルタ３９は、第一の実施形態によるノイズフィルタと同様に、伝送線路を構成する信号線路と接地導体が磁性体層の同一面上に形成されているので、前記磁性体層上で信号線路と接地導体間の絶縁距離を得るための設計自由度が高く、伝送線路を設計しやすい。さらに、磁性体層の上下面に信号電極と接地導体がそれぞれ配置される場合のように、磁性体層の厚みに信号電圧がかかることがないため、磁性体層の厚みを薄くすることができる。したがって、ノイズフィルタの素子全体の厚みが一定のもとで磁性体層の積層数を増やすことができ、信号線路長を長くとることができる。このため、信号線路長の増大に伴い減衰量が増大するという伝送線路型フィルタの減衰特性を向上させる効果を有する。
【００６３】
さらに、信号線路をミアンダ状とすることにより、信号線路長をより長くとれる。また、前記信号線路の周辺部に接地導体が配置されることにより、漏れインダクタンスによる特性インピーダンスの乱れを防ぐことができる。
【００６４】
次に、本発明の第五の実施形態によるノイズフィルタについて説明する。図９に前記ノイズフィルタの分解斜視図を示す。また、図１０に前記ノイズフィルタの外観斜視図を示す。本実施形態は複合型のノイズフィルタである。
【００６５】
図１０に示すように、ノイズフィルタ４９はセラミック素体４８と該セラミック素体の表面に形成された接地用外部電極４６ａ、４６ｂ及び信号用外部電極４７ａ、４７ｂからなる。
【００６６】
図９に示すように、前記セラミック素体４８は磁性体層４１ａ〜４１ｊが積層されてなる。
【００６７】
磁性体層４１ｃ〜４１ｈの同一面上には、信号線路４３ｂ〜４３ｇと、該信号線路４３ｂ〜４３ｇの外側を囲むように配置して接地導体４２ａ〜４２ｆがそれぞれ形成される。磁性体層の同一面上に形成される接地導体と信号線路は、両者に近接する磁性体媒質とともに、セラミック素体内部において伝送線路を形成する。
【００６８】
また、磁性体層４１ｂ〜４１ｈ上にそれぞれ形成される信号線路４３ａ〜４３ｇの片端部には、信号線路用スルーホール４５ａ〜４５ｇがそれぞれ形成される。信号線路４３ａ〜４３ｈは、前記信号線路用スルーホール４５ａ〜４５ｇを介し互いに接続され、セラミック素体４８の内部でコイルを形成する。
【００６９】
接地導体４２ａ〜４２ｆは図９に示すようにセラミック素体４８の外表面に引き出され、図１０に示す接地用外部電極４６ａ及び４６ｂに接続される。また、信号線路４３ａの片端部はセラミック素体４８の外表面に引き出され、信号用外部電極４７ａに接続される。また、信号線路４３ｈの片端部もセラミック素体４８の外表面に引き出され、信号用外部電極４７ｂに接続される。接地用外部電極４６ａ、４６ｂ及び信号用外部電極４７ａ、４７ｂのいずれも、磁性体層の積層方向と平行なセラミック素体面に形成される。
【００７０】
このような構成を有するノイズフィルタ４９は、第一の実施形態のノイズフィルタについて説明したのと同様の製造方法により製造される。
【００７１】
前記ノイズフィルタ４９は、接地導体と信号線路よりなる伝送線路とともに、信号線路よりなるコイルを備える。したがって、本実施形態のように伝送線路の媒質として磁性体を用いた場合、前記コイルは磁性体を磁心としたインダクタとして作用する。このため、複素透磁率の実数成分が支配的となる低周波領域ではインダクタンス成分が発生する一方、複素透磁率の複素成分すなわち磁性損失が支配的となる高周波領域では伝送線路としての減衰が発生するため、広帯域の複合型ノイズフィルタとして機能する。
【００７２】
また、この複合型のノイズフィルタ４９は、第一の実施形態によるノイズフィルタと同様に、伝送線路を構成する信号線路と接地導体が磁性体層の同一面上に形成されているので、前記磁性体層上で信号線路と接地導体間の絶縁距離を得るための設計自由度が高く、伝送線路を設計しやすい。さらに、磁性体層の上下面に信号電極と接地導体がそれぞれ配置される場合のように、磁性体層の厚みに信号電圧がかかることがないため、磁性体層の厚みを薄くすることができる。したがって、ノイズフィルタの素子全体の厚みが一定のもとで磁性体層の積層数を増やすことができ、信号線路長を長くとることができる。このため、信号線路長の増大に伴い減衰量が増大するという伝送線路型フィルタの減衰特性を向上させる効果を有する。
【００７３】
また、接地用外部電極及び信号用外部電極が磁性体層の積層方向と平行なセラミック素体面に形成されるため、これらの外部電極が磁性体層の積層方向と垂直なセラミック素体面に形成される場合と異なり、信号線路が形成するコイルがつくる磁束が外部電極によって遮蔽されない。これによりインダクタンスが増大し、インダクタとしての特性が向上する効果も有する。
【００７４】
さらに、磁性体層と内部導体が積層される構造により、従来の巻き線型の複合型ノイズフィルタに比べ低コストで製造することが可能である。
【００７５】
このように第五の実施形態によるノイズフィルタは、複合型ノイズフィルタとして好適である。
【００７６】
以上、本発明のノイズフィルタについて、第一〜第五の実施形態に基づき説明してきたが、本発明はこれらの実施形態に限定されるものではなく、その要旨の範囲内で種々の形態に変更可能である。
【００７７】
また、前記ノイズフィルタの製造方法も、上述の方法に限定されない。
【００７８】
例えば、上述の製造方法では、スクリーン印刷法により導体パターンが表面に形成された磁性体セラミックグリーンシートが積層、圧着されることにより未焼成の積層体が得られているが、この他の方法として、磁性体セラミック層と導体パターンがスクリーン印刷等により基板上に交互に形成され、未焼成の積層体が得られてもよい。また、磁性体セラミック層と導体パターンが基板上に交互に形成される際、各層が逐次焼成されることにより積層体が形成されてもよい。
【００７９】
また、積層体製造の際の導体パターンや磁性体セラミック層の形成方法としては、上述のスクリーン印刷の他に、グラビア印刷、あるいは感光性ペーストを用いたフォトリソ工法等、種々の方法が利用可能である。
【００８０】
【発明の効果】
以上述べてきたように、本発明のノイズフィルタは、伝送線路を構成する信号線路と接地導体が磁性体層の同一面上に形成されるため、前記磁性体層上で信号線路と接地導体間の絶縁距離を得るための設計自由度が高く、伝送線路を設計しやすい。また、磁性体層の厚みに信号電圧がかかることがないため、磁性体層の厚みを薄くすることができる。したがって、ノイズフィルタの素子全体の厚みが一定のもとで磁性体層の積層数を増やすことができ、信号線路長を長くとれるため、伝送線路型フィルタの減衰特性が向上するという効果を有する。
【００８１】
また、信号線路が形成するコイルの外側の磁性体層上に前記コイルを覆うように接地導体のみを設けることにより、前記コイルによる磁束が遮蔽され、漏れインダクタンスが低減する。これにより、特性インピーダンスの乱れを防ぐことができるという効果を有する。
【００８２】
また、本発明の複合型のノイズフィルタは、接地用外部電極及び信号用外部電極が磁性体層の積層方向と平行なセラミック素体面に形成されることにより、信号線路が形成するコイルのインダクタンスが増大し、インダクタとしての特性が向上する効果を有する。また、磁性体層と内部導体が積層される構造により、従来の巻き線型の複合型ノイズフィルタに比べ低コストで製造可能であるという効果を有する。
【図面の簡単な説明】
【図１】第一の実施形態によるノイズフィルタを示す分解斜視図である。
【図２】第一の実施形態によるノイズフィルタを示す外観斜視図である。
【図３】第二の実施形態によるノイズフィルタを示す分解斜視図である。
【図４】第二の実施形態によるノイズフィルタを示す外観斜視図である。
【図５】第三の実施形態によるノイズフィルタを示す分解斜視図である。
【図６】第三の実施形態によるノイズフィルタを示す外観斜視図である。
【図７】第四の実施形態によるノイズフィルタを示す分解斜視図である。
【図８】第四の実施形態によるノイズフィルタを示す外観斜視図である。
【図９】第五の実施形態によるノイズフィルタを示す分解斜視図である。
【図１０】第五の実施形態によるノイズフィルタを示す外観斜視図である。
【符号の説明】
１ａ〜１ｊ、１１ａ〜１１ｈ、２１ｇ〜２１ｇ、３１ａ〜３１ｇ、
４１ａ〜４１ｊ    磁性体層
２ａ〜２ｈ、１２ａ〜１２ｆ、２２ａ〜２２ｊ、３２ａ〜３２ｊ、
４２ａ〜４２ｆ    接地導体
３ａ〜３ｆ、１３ａ〜１３ｆ、２３ａ〜２３ｅ、３３ａ〜３３ｅ、
４３ａ〜４３ｈ    信号線路
４ａ〜４ｇ、１４ａ〜１４ｈ    接地導体用スルーホール
５ａ〜５ｅ、１５ａ〜１５ｅ、２５ａ〜２５ｄ、３５ａ〜３５ｄ、
４５ａ〜４５ｇ    信号線路用スルーホール
６ａ、６ｂ、１６ａ、１６ｂ、２６ａ、２６ｂ、３６ａ、３６ｂ、４６ａ、
４６ｂ    接地用外部電極
７ａ、７ｂ、１７ａ、１７ｂ、２７ａ、２７ｂ、３７ａ、３７ｂ、４７ａ、
４７ｂ    信号用外部電極
８、１８、２８、３８、４８    セラミック素体
９、１９、２９、３９、４９    ノイズフィルタ
【図１】
2004222220.tif 000003
【図２】
2004222220.tif 000004
【図３】
2004222220.tif 000005
【図４】
2004222220.tif 000006
【図５】
2004222220.tif 000007
【図６】
2004222220.tif 000008
【図７】
2004222220.tif 000009
【図８】
2004222220.tif 000010
【図９】
2004222220.tif 000011
【図１０】
2004222220.tif 000012